(57)【要約】【課題】  ダイヤルインサービスに対応する機能を有する複数回線を収容可能な画像伝送装置において、物理回線が使用されている状態で、装置を使用するユーザが、前記物理回線に対応する論理回線で指定して送信しようとしたときに、送信待機中となってしまう不都合を解消する。【解決手段】  対応する物理回線または論理回線で回線指定手段で指定して送信する場合、回線状態検出手段で、未使用の回線を検索して、未使用の回線があれば、回線に紐づいている送信ヘッダにのるユーザ電話番号と発信人名称は、前記指定した回線のユーザ電話番号と発信人名称を用いて送信する。【選択図】  図１
2009225277.tif 000002
【特許請求の範囲】
【請求項１】
ダイヤルインサービスに対応する機能を有する複数回線を収容可能な画像伝送装置において、
送信する回線を指定する回線指定手段と、回線の状態を検出する回線状態検出手段と、前記回線指定手段で指定した回線の内容を変更する回線指定内容変更手段とを持ち、ダイヤルインサービス設定が有効な場合、物理回線（物理的に与えられる電話番号をもつ回線）または論理回線（ダイヤルインで与えられる電話番号をもつ回線）使用中において、それに対応する物理回線または論理回線で、前記回線指定手段で指定してファクス送信する場合、前記回線状態検出手段で、未使用の回線を検索して、未使用の回線があれば、回線に紐づいているユーザ設定電話番号や発信人名称の回線情報は、前記指定した回線の回線情報を用いて送信することを特徴とする画像伝送装置。
【請求項２】
請求項１に記載の画像伝送装置において、ダイヤルインサービス設定が有効な場合、物理回線または論理回線で送信中において、それに対応する物理回線または論理回線を、前記回線指定手段で指定して送信する場合、前記回線状態検出手段で、未使用の回線を検索するかしないかを切り替えることができる切替手段をもち、ユーザは前記切替手段を用いて選択することを特徴とする画像伝送装置。
【請求項３】
請求項１に記載の画像伝送装置において、さらにナンバーディスプレイサービスに対応する機能を有しており、ナンバーディスプレイサービス設定が有効な場合、物理回線または論理回線で使用中において、それに対応する物理回線または論理回線を、前記回線指定手段で指定して送信する際に、前記回線状態検出手段で、未使用の回線を検索して、未使用の回線があれば、回線に紐づいているユーザ設定電話番号や発信人名称の回線情報は、前記指定した回線の回線情報を用いてファクス送信する場合、
発信電話番号の前に184を付加して相手先に電話番号を通知しないことを特徴とする画像伝送装置。
【請求項４】
請求項１に記載の画像伝送装置において、ダイヤルインサービスを有効および無効に設定することのできるダイヤルインサービス切替手段を持つことを特徴とする画像伝送装置。
【請求項５】
請求項３に記載の画像伝送装置において、ナンバーディスプレイサービスを有効および無効に設定することのできるナンバーディスプレイサービス切替手段を持つことを特徴とする画像伝送装置。
【発明の詳細な説明】
【技術分野】
【０００１】
本発明は、モデムダイヤルインサービスに対応した複数の電話回線などの回線を収容するファクシミリなどの画像伝送装置に関するもので、詳しくは、使用中の回線に対して回線指定送信したときの送信方法に関するものである。
【背景技術】
【０００２】
近年、プリンタ、コピー、スキャナ、ＦＡＸ機能などを持つ複合の画像形成装置が提案されている。このＦＡＸ機能には複数の電話回線などの回線を収容しており、近年、回線を集結させて画像形成装置をできるだけ少数で実現してほしいという要望が強くなっている。ただ回線を追加契約するとその分回線契約料が発生してしまう。そこで安価で実現することができる電話機能のサービスとして、モデムダイヤルイン機能がある。これは、１本の回線契約で電話番号を複数設定することができ、着信時に着信側の電話番号を通知するサービスである。この機能を使用するには、回線を持つキャリア（ＮＴＴなど）との契約が必要で、サービスを受けるユーザーは、契約するとともに、サービスに対する付加料金の支払いが必要になる。
【０００３】
従来の画像形成装置では、モデムダイヤルイン機能を利用して、複数のモデムダイヤルイン追加番号を設定することで、回線が１本でも複数の番号を利用してＦＡＸ送受信として行うことができる。
【０００４】
ここで、複数の回線を収容できて、それぞれの回線に対してモデムダイヤルイン契約していた場合に、物理回線（物理的に与えられる電話番号をもつ回線）を使用中において、それに対応する論理回線（ダイヤルインで与えられる電話番号をもつ回線）を指定して送信しようとすると、当然、物理回線が使用中なので送信されずに送信待機中となる。しかしユーザからしてみれば指定した回線が使用されていないのにもかかわらず送信されないため不都合が生じたと誤認識される問題がある。
【０００５】
ナンバーディスプレイ及びモデムダイアルインサービスの設定に関しての従来例としては、特開２００３−８７４３４号公報があるが、ナンバーディスプレイ及びモデムダイアルインサービスに契約した回線に接続されたファクシミリ装置において、着呼時に受けた発呼元電話番号と着番号が当該ファクシミリ装置に予め登録されている発呼元電話番号及び着番号にそれぞれ一致した場合、当該ファクシミリ装置に予め設定されている動作を起動させる機能が説明されているが、ファクスの送信における回線指定に関しては明記されていない。
【特許文献１】特開２００３−８７４３４号公報
【発明の開示】
【発明が解決しようとする課題】
【０００６】
本発明は、複数の回線を収容し、かつ回線指定手段を持つ画像伝送装置に関するもので、回線指定手段とは、送信時にユーザが複数回線のなかから送信したい回線を指定することができるというものである。
【０００７】
このような画像伝送装置は、主にオフィースに設置される場合が多いが、近年、回線を集結させて画像形成装置をできるだけ少数で実現してほしいという要望が強くなっている。
【０００８】
そこで安価で実現することができる電話機能のサービスとして、モデムダイヤルイン機能がある。これは、１本の回線契約で電話番号を複数設定することができる。
【０００９】
従来の画像形成装置では、モデムダイヤルイン機能を利用して、複数のモデムダイヤルイン追加番号を設定することで、回線が１本でも複数の番号を利用してＦＡＸ送受信として行うことができる。
【００１０】
ここで、簡単にダイヤルインサービスを説明しておく。ダイヤルインサービスとは、NTTなどの網キャリアが設定しているサービスであり、１つの物理的な回線に対して、電話番号を複数もてるサービスである。
【００１１】
通常、1つの物理回線を契約した場合、その回線に固有の電話番号が与えられる。例えば、03-1111-2222などの番号になる。更にダイヤルインサービスに加入した場合、この既に存在する回線（電話番号03-1111-2222）のほかに、ダイヤルイン番号、例えば、03-1111-3333が与えられる。
【００１２】
03-1111-2222又は03-1111-3333に発信された場合、同じ１つの物理回線で着信される。
【００１３】
付加されるダイヤルイン番号は、複数でも可能であるが、ここでは1物理回線に対して、付加されるダイヤルイン番号は１つとして説明する。
【００１４】
このように、ダイヤルインサービスに加入すれば、1つの回線に対して、物理的に与えられる電話番号のほかに、論理的に与えられるダイヤルイン番号を付加でき、あたかも1つの回線で2以上の回線があるかのように出来、回線をまとめることが可能となる。物理的な回線を2本引くよりも、ダイヤルインサービスに加入したほうが、当然経済的となる。
【００１５】
本発明では、便宜上、最初に物理的に与えられる電話番号を持つ回線を物理回線、ダイヤルインで与えられた電話番号の回線を論理回線と呼ぶ。
【００１６】
ダイヤルインサービスは、物理回線毎に契約するものであり、1つの物理回線に対して、2以上の論理回線が存在する。
【００１７】
次に、送信時の送信回線指定の時の課題を詳細に説明する。
【００１８】
まず、回線指定機能に関して説明する。
【００１９】
送信時に回線を指定する方法としては、回線そのもの（例えば、回線１、回線２、回線３など）を指定する方法と、明示的に回線No.を指定せずに回線を自動指定する方法がある。回線そのものが指定された場合には、指定された回線から送信を行うが、回線自動選択が指定された場合には、未使用の回線が使用されることになる。この回線指定そのものを指定する方法において、モデムダイヤルイン契約した回線がある場合に問題がある。
【００２０】
例を使い説明を続ける。図１は、回線指定を設定する設定画面の例である。
【００２１】
この例では、回線が６本の場合を示しており、それぞれ回線No.が回線１−６となっている。回線１、２、３は物理回線つまり物理的に与えられる電話番号をもつ回線であり、回線４、５、６がそれぞれ回線１、２、３に対応する論理回線、つまりダイヤルインで与えられる電話番号をもつ回線である。
【００２２】
図では青く反転された設定、すなわち、回線２が指定されている。
【００２３】
このような設定が行われる装置で、回線２が使用されている状態において、装置を使用するユーザが、回線５を指定して送信しようとする。ユーザは、回線５が使用ですぐに送信されることを期待しているが、回線５は回線２の論理回線であるため、送信待機中となってしまう不都合がある。
【００２４】
これらの不都合を解消する為には、他の回線が未使用であるかどうかを確認し、もし未使用な回線があるなら、その回線を使用するようにする。ユーザが回線を指定して送信する場合は、送信ヘッダに回線に紐づいている電話番号と発信人名称などを付与したいので、回線に紐づいている電話番号、発信人名称などの情報は、回線５の情報を保持したままにしておく必要がある。
【課題を解決するための手段】
【００２５】
本発明は、上記の課題を解決するもので、ダイヤルインサービスに対応する機能を有する複数回線を収容可能な画像伝送装置において、送信する回線を指定する回線指定手段と、回線の状態を検出する回線状態検出手段とを持ち、前記回線指定手段で指定した回線の内容を変更する回線指定内容変更手段とを持ち、ダイヤルインインサービス設定が有効な場合、物理回線（物理的に与えられる電話番号をもつ回線）または論理回線（ダイヤルインで与えられる電話番号をもつ回線）使用中において、それに対応する物理回線または論理回線で、前記回線指定手段で指定して送信する場合、前記回線状態検出手段で、未使用の回線を検索して、未使用の回線があれば、回線に紐づいている送信ヘッダにのるユーザ電話番号と発信人名称は、前記指定した回線のユーザ電話番号と発信人名称を用いて送信することを特徴とする画像伝送装置を採用した。
【発明の効果】
【００２６】
ダイヤルインサービスに対応する機能を有する複数回線を収容可能な画像伝送装置において、物理回線が使用されている状態で、装置を使用するユーザが、前記物理回線に対応する論理回線で指定して送信しようとしたときに、送信待機中となってしまう不都合を解消することができ、未使用回線を効率よく使用することができる。また受信機における誤転送を回避することができる。
【発明を実施するための最良の形態】
【００２７】
次に、本発明の詳細を実施例の記述に従って説明する。
【実施例１】
【００２８】
次に本発明の実施例を詳細に説明する。
【００２９】
本発明を実施する画像伝送装置の接続外略図を図２に示す。
【００３０】
100は、本発明を実施するファクシミリなどの画像伝送装置であり、画像伝送装置は、回線110と複数の回線（回線１（121）、回線２（122）、・・・回線６（126）で接続されている。
【００３１】
この回線110は、具体的には公衆回線である。
【００３２】
次に、画像伝送装置111の概略構成図を図３に示す。
【００３３】
201は原稿を光学的に読み取って画像データに変換する画像入力部、202は画像データを記録紙などに記録する電子写真方式などの画像出力部、203は装置を制御するCPUなどからなるコントローラ、204は画像データや、コントローラ203のプログラムコード／データを格納するメモリ、205は画像データなどのデータを格納するハードディスク、206は本装置をネットワークへ接続するためのネットワークインターフェイス（I/F）、207はLCDなどから構成される表示部、208はキーなどからなる操作部、210は複数回線を収容するFAX機能を制御するFAX制御部であり、これから公衆回線に接続される。110は公衆回線であり、図では６回線（回線１−６）をサポートしている。
【００３４】
次に送信する場合の回線指定の設定例を説明する。
【００３５】
図４は、ファクス送信する場合の設定画面であり、画面下側の回線選択により送信回線を選択する。
【００３６】
回線選択ボタンを押下すると図１の回線指定選択画面が表示され、自動選択、回線１、回線２、回線３、回線４、回線５、回線６、自動選択の7つのボタンが表示される。
【００３７】
この画面で、自動選択以外の回線１−６が選択された場合には、指定された回線からの送信が行われる。
【００３８】
本発明は、物理回線（物理的に与えられる電話番号をもつ回線）が通信中の状態で、ユーザが前期物理回線に対応する論理回線（ダイヤルインで与えられる電話番号をもつ回線）を指定してファクス送信する場合において説明をする。
【００３９】
図５は、本発明の動作を示すフローチャートである。
【００４０】
本発明の動作ではＮＴＴとモデムダイヤルインの契約およびナンバーディスプレイの契約をおこなっていることが前提であり、機器内においてもモデムダイヤルインの設定およびナンバーディスプレイの設定が有効になっている状態である。（ＳＴ１）
ＳＴ２で電源立ち上げられ、続いてＳＴ３で、回線構成を検出する。具体的には、電源立ち上げ後、まずハード的にＦＡＸ制御部210が存在するかを検出し、ＦＡＸ制御部が接続さえていると検出された場合に、ＦＡＸ制御部で収容している回線数を検出して機器はそのまま立ち上がる。
【００４１】
本発明の実施例においては、ダイヤルインサービスを使用した場合の回線No.の割り振り例を示す。
【００４２】
下記は、物理的な３回線と、各物理回線に1つずつダイヤルイン番号を付加した場合の回線No.の例である。
【００４３】
回線１：物理回線
回線２：回線１（物理回線）の論理回線（ダイヤルイン番号回線）
回線３：物理回線
回線４：回線３（物理回線）の論理回線（ダイヤルイン番号回線）
回線５：物理回線
回線６：回線５（物理回線）の論理回線（ダイヤルイン番号回線）
このような構成で、表示部は図６のように回線構成画面を表示する。
【００４４】
また回線に紐づいている情報である、電話番号やユーザ略称の設定情報は図７の画面で設定することができる。ここで設定した情報が送信原稿の送信ヘッダに付与される。
【００４５】
ユーザはＳＴ５で回線１（物理回線）でFAX送信する。
【００４６】
次にＳＴ６でユーザが回線２（回線１の論理回線）でFAX送信することを想定する。
【００４７】
ＳＴ７で回線２が使用中かを確認する。回線２（それに対応している回線１（物理回線））が未使用であればそのまま回線２で送信する。（ＳＴ８）
ＳＴ５で回線１が送信中であれば、回線２は回線１の論理回線であるため、当然使用できないので、未使用の回線を検索する。（ＳＴ９）
未使用の回線があれば、送信ヘッダに使用する回線に紐づいた設定情報はＳＴ６で指定した回線の設定情報をそのまま使用する。（ＳＴ１０）ここで、受信機側の転送設定を考慮して、ＦＡＸ送信する際には相手先電話番号の前に「184」の番号を付与して番号を送出する（ＳＴ１１）。このようにすることで相手機に設定されていた場合に誤転送を回避することができる。
【図面の簡単な説明】
【００４８】
【図１】本発明の回線指定を設定する設定画面の例
【図２】本発明を実施する画像伝送装置の接続外略図
【図３】本発明の画像伝送装置の概略構成図
【図４】本発明のファクスを送信する場合の設定画面
【図５】本発明の実施例のフローチャート図
【図６】本発明の回線構成を表示する画面図の例
【図７】本発明の回線に紐づいている電話番号やユーザ略称の設定画面図
【符号の説明】
【００４９】
１１０  公衆回線網
１１１  画像伝送装置
１１２  ファクス１
１１３  ファクス２
１１４  ファクス３
１２１  回線１
１２２  回線２
１２３  回線３
１２４  回線４
１２５  回線５
１２６  回線６
２０１  画像入力部
２０２  画像出力部
２０３  コントローラ
２０４  メモリ
２０５  ハードディスク
２０６  ネットワークＩ／Ｆ
２０７  表示部
２０８  操作部
２０９  ネットワーク
２１０  ＦＡＸ制御部
【図１】
2009225277.tif 000003
【図２】
2009225277.tif 000004
【図３】
2009225277.tif 000005
【図４】
2009225277.tif 000006
【図５】
2009225277.tif 000007
【図６】
2009225277.tif 000008
【図７】
2009225277.tif 000009